(57)【要約】【課題】電動コンプレッサ内への液冷媒寝込みの発生を防止する。【解決手段】冷凍装置の電動コンプレッサの運転停止時に、コンプレッサ冷媒温度センサの検出温度Ｔｒが予め設定された液冷媒寝込み設定温度Ｔｓ１以下である場合、この検出温度Ｔｒに基づいて加熱制御装置が必要加熱量を演算してから加熱制御信号をインバータ駆動装置に出力する。インバータ駆動装置が、加熱制御装置からの加熱制御信号により、電動コンプレッサ内のモータに、規定の電力量だけ欠相通電する。【選択図】　　　図３
2004028503.tif 000002
【特許請求の範囲】
【請求項１】
車両に搭載されたエンジンで発電する冷凍装置用発電機、冷凍装置用バッテリパック及び外部電力のうちの少なくとも１つを電源として駆動される電動コンプレッサが搭載された車両輸送用冷凍装置において、
前記冷凍装置用発電機、前記冷凍装置用バッテリパック、前記外部電力及び別に搭載された加熱用バッテリのうちの少なくとも１つから供給される電力で、前記電動コンプレッサ内のモータを加熱する液冷媒寝込み対策手段を有することを特徴とする車両輸送用冷凍装置。
【請求項２】
請求項１に記載の車両輸送用冷凍装置において、
前記電動コンプレッサに付設されたコンプレッサ冷媒温度センサの検出温度が、予め設定された液冷媒寝込み設定温度以下である場合、
規定の電力量だけ前記電動コンプレッサ内のモータを加熱する、
あるいは、規定の時間だけ前記電動コンプレッサ内のモータを加熱する、
あるいは、規定の温度まで前記電動コンプレッサ内のモータを加熱する液冷媒寝込み対策手段を有することを特徴とする車両輸送用冷凍装置。
【請求項３】
請求項１に記載の車両輸送用冷凍装置において、
前記電動コンプレッサ内のモータの巻線抵抗値を検出し、この巻線抵抗値に基づく換算温度が、予め設定された液冷媒寝込み設定温度以下である場合、
規定の電力量だけ前記電動コンプレッサ内のモータを加熱する、
あるいは、規定の時間だけ前記電動コンプレッサ内のモータを加熱する、
あるいは、規定の温度まで前記電動コンプレッサ内のモータを加熱する液冷媒寝込み対策手段を有することを特徴とする車両輸送用冷凍装置。
【請求項４】
請求項１に記載の車両輸送用冷凍装置において、
外気温度を検出し、この外気温度が、予め設定された液冷媒寝込み設定温度以下である場合、
規定の電力量だけ前記電動コンプレッサ内のモータを加熱する、
あるいは、規定の時間だけ前記電動コンプレッサ内のモータを加熱する、
あるいは、規定の温度まで前記電動コンプレッサ内のモータを加熱する液冷媒寝込み対策手段を有することを特徴とする車両輸送用冷凍装置。
【請求項５】
請求項１に記載の車両輸送用冷凍装置において、
液冷媒の前記電動コンプレッサ内への溜まり込み量を検出し、この液冷媒の溜まり込み量が、予め設定された溜まり込み量以上である場合、
規定の電力量だけ前記電動コンプレッサ内のモータを加熱する、
あるいは、規定の時間だけ前記電動コンプレッサ内のモータを加熱する、
あるいは、規定の温度まで前記電動コンプレッサ内のモータを加熱する液冷媒寝込み対策手段を有することを特徴とする車両輸送用冷凍装置。
【発明の詳細な説明】
【０００１】
【発明の属する技術分野】
本発明は、車両で使用される車両輸送用冷凍装置（以下、冷凍装置と称する）に関するものである。
【０００２】
【従来の技術】
一般に、冷凍装置は、例えば冷凍食品や生鮮食品等を運搬する車両に用いられ、これらの食品等を格納する冷凍庫の内部を、コンプレッサによって圧縮された冷媒を用いて冷凍するものである。
図４に、従来の冷凍装置のコンデンシングユニット及びエバポレータユニットの主要コンポーネント配置と冷媒配管系統、及びそれらを駆動する電気機器の配置と電気配線系統の一例を示す。
このような冷凍装置は、図４に示すように、冷凍庫外に設置されるコンデンシングユニット１と、冷凍庫内に設置されるエバポレータユニット２とによって構成され、これらコンデンシングユニット１とエバポレータユニット２とは冷媒配管２０，３０，４０で接続されている。
そして、コンデンシングユニット１内に配置されたモータを内蔵する電動コンプレッサ３は、車両用エンジン５１によって発電される冷凍装置用発電機５２と商用電源５３の接続コンセント５３ａとは、電圧変換制御装置５５及びインバータ駆動装置５６を介してそれぞれ電気的に接続され、かつ、冷凍装置用バッテリパック５４とは、インバータ駆動装置５６を介して電気的に接続されている。
【０００３】
冷凍装置の冷凍運転においては、コンデンシングユニット１の電動コンプレッサ３が駆動されると、電動コンプレッサ３の出口とコンデンサ４とを接続する冷媒配管１６に設けられたコンデンサ入口電磁弁１０が開、電動コンプレッサ３の出口とコンデンサ入口電磁弁１０との間の接続点からエバポレータユニット２の（コンデンサ４をバイパスした）ドレパンヒータ１３に接続される冷媒配管４０に設けられたデフロスト電磁弁１１が閉となる。
これにより、電動コンプレッサ３にて圧縮された冷媒が、冷媒配管１６からファン１４が付設されたコンデンサ４に送られ、ここで外気等により冷却されて凝縮液化する。
この液冷媒は、レシーバ５、ドライヤ６を経て冷媒配管２０から膨脹弁１２に圧送され、ここで断熱膨脹した後、ファン１５が付設されたエバポレータ７に入り、さらに、これを流過する過程で冷凍庫内空気と熱交換してガス化した後、アキュムレータ８から、冷媒配管３０を経て吸入圧力調整弁９で圧力調整されて電動コンプレッサ３に戻る。
【０００４】
冷凍装置のデフロスト及び加熱運転においては、コンデンシングユニット１の電動コンプレッサ３が駆動されると、コンデンサ入口電磁弁１０が閉、デフロスト電磁弁１１が開となる。
これにより、電動コンプレッサ３にて圧縮された冷媒が、冷媒配管４０からエバポレータユニット２のドレンパンヒータ１３に入り、さらに冷媒配管１７を経てエバポレータ７に圧送される。
この冷媒は、ドレンパンヒータ１３及びエバポレータ７を流過する過程で冷凍庫内空気と熱交換して液化した後、アキュムレータ８で気液分離されてガス冷媒となって、冷媒配管３０から吸入圧力調整弁９を経て電動コンプレッサ３に戻る。
【０００５】
【発明が解決しようとする課題】
ところで、上記のように、電動コンプレッサ３、コンデンサ４及びエバポレータ７を冷媒配管で接続し閉回路を形成した冷凍装置においては、電動コンプレッサ３の運転停止時に、冷凍装置の中の最も低温部分に冷媒が集まる液冷媒寝込み現象が発生する傾向がある。
例えば、外気温度が低い冬期に上記の冷凍装置のデフロスト及び加熱運転を停止したときには、エバポレータ７側の方が温度が高いため、エバポレータ７側から低温の電動コンプレッサ３に冷媒が移動して凝縮し、電動コンプレッサ３内への液冷媒寝込みが発生してしまう。
この状態のまま、電動コンプレッサ３を起動すると、液冷媒の圧縮による電動コンプレッサ３の破損、過電流による破損、保護装置による停止等の不具合が生じてしまう。
一般に、このようなコンプレッサへの液冷媒寝込み防止対策として、定置式の冷凍装置では、停止中に電熱線ヒータによりコンプレッサを加熱する等の保護策がとられているが、車両輸送用冷凍装置では、上記のような保護策はとられておらず、このような問題を解決することができる車両輸送用冷凍装置が熱望されていた。
【０００６】
本発明は、上記課題に鑑みてなされたもので、電動コンプレッサ内への液冷媒寝込みの発生を防止することができる車両輸送用冷凍装置を提供することを目的とする。
【０００７】
【課題を解決するための手段】
上記の課題を解決して、このような目的を達成するために、本発明は、車両に搭載されたエンジンで発電する冷凍装置用発電機、冷凍装置用バッテリパック及び外部電力のうちの少なくとも１つを電源として駆動される電動コンプレッサが搭載された車両用冷凍装置において、前記冷凍装置用発電機、前記冷凍装置用バッテリパック、前記外部電力及び別に搭載された加熱用バッテリのうちの少なくとも１つから供給される電力で、前記電動コンプレッサ内のモータを加熱する液冷媒寝込み対策手段を有することを特徴とするものである。
このような本発明では、車両で使用される冷凍装置における電動コンプレッサの運転停止時であっても、液冷媒寝込み対策手段が、冷凍装置用発電機、外部電力電源、冷凍装置用バッテリパック及び加熱用バッテリのうちの少なくとも１つから供給される電力を用いて電動コンプレッサ内のモータを効率良く短時間に加熱する。これにより、この電動コンプレッサの温度を液冷媒寝込みが発生してしまう温度よりも高い状態に維持することができて、電動コンプレッサ内への液冷媒の寝込みを防止することができる。
【０００８】
ここで、上記のような液冷媒寝込み対策手段における電動コンプレッサ内のモータの加熱制御は、例えば、以下のようにして行われる。
・前記電動コンプレッサに付設されたコンプレッサ冷媒温度センサの検出温度が、予め設定された液冷媒寝込み設定温度以下である場合、規定の電力量だけ前記電動コンプレッサ内のモータを加熱する、あるいは、規定の時間だけ前記電動コンプレッサ内のモータを加熱する、あるいは、規定の温度まで前記電動コンプレッサ内のモータを加熱する。
【０００９】
・前記電動コンプレッサ内のモータの巻線抵抗値を検出し、この巻線抵抗値に基づく換算温度が、予め設定された液冷媒寝込み設定温度以下である場合、規定の電力量だけ前記電動コンプレッサ内のモータを加熱する、あるいは、規定の時間だけ前記電動コンプレッサ内のモータを加熱する、あるいは、規定の温度まで前記電動コンプレッサ内のモータを加熱する。
【００１０】
・外気温度を検出し、この外気温度が、予め設定された液冷媒寝込み設定温度以下である場合、規定の電力量だけ前記電動コンプレッサ内のモータを加熱する、あるいは、規定の時間だけ前記電動コンプレッサ内のモータを加熱する、あるいは、規定の温度まで前記電動コンプレッサ内のモータを加熱する。
【００１１】
・液冷媒の前記電動コンプレッサ内への溜まり込み量を検出し、この液冷媒の溜まり込み量が、予め設定された溜まり込み量以上である場合、規定の電力量だけ前記電動コンプレッサ内のモータを加熱する、あるいは、規定の時間だけ前記電動コンプレッサ内のモータを加熱する、あるいは、規定の温度まで前記電動コンプレッサ内のモータを加熱する。
【００１２】
【発明の実施の形態】
以下、本発明の実施形態を添付した図面を参照しながら説明するが、上述の先行技術と同一または同様の部分には同一の符号を用いてその説明を省略する。
図１に本発明の実施形態による電気機器の配置と電気配線系統を示し、図２にインバータ制御装置の部分詳細説明図を示す。
本実施形態において、冷凍装置の（モータを一体に内蔵した）電動コンプレッサ１０３は、車両用エンジン５１によって発電される冷凍装置用発電機５２、商用電源５３（外部電力）及び冷凍装置用バッテリパック５４のうちの少なくとも１つを電源として、インバータ駆動装置１５６を介して駆動されるようになっている。
【００１３】
詳述すると、電動コンプレッサ１０３は、冷凍装置用発電機５２と商用電源５３の接続コンセント５３ａとは、（ＡＣ／ＤＣ変換機能及び出力電圧調整機能等を備えた）電圧変換制御装置５５及び（ＤＣ／ＡＣ変換機能、周波数変更機能及び出力のＯＮ／ＯＦＦ機能等を備えた）インバータ駆動装置１５６を介してそれぞれ電気的に接続され、かつ、冷凍装置用バッテリパック５４とは、インバータ駆動装置１５６を介して電気的に接続されている。
加えて、本実施形態においては、電動コンプレッサ１０３に対して、別に車両に搭載された加熱用バッテリ１５８が、インバータ駆動装置１５６を介して電気的に接続されている。
【００１４】
また、冷凍装置用発電機５２、商用電源５３、冷凍装置用バッテリパック５４及び加熱用バッテリ１５８のうちの少なくとも１つから供給される電力によって、電動コンプレッサ１０３に一体内蔵されたモータを加熱制御するための加熱制御装置１６０が設けられている。
この加熱制御装置１６０は、入力信号として、冷凍装置における電動コンプレッサ１０３に付設された既存のコンプレッサ冷媒温度センサ１６１の検出温度Ｔｒを受け、予め設定された液冷媒寝込み設定温度Ｔｓとの比較を行うことによって、加熱制御信号をインバータ駆動装置１５６に出力する機能を有している。
【００１５】
インバータ駆動装置１５６は、加熱制御装置１６０から与えられた加熱制御信号により、図２に示すような電動コンプレッサ１０３駆動用の３相交流インバータ１５７において、スイッチング素子をＩとＩＶ、ＩＩとＩＩＩの組で交互にオンさせることで単相交流として電動コンプレッサ１０３に欠相通電する。
【００１６】
電動コンプレッサ１０３内のモータの加熱制御は、図３に示すように、入力信号としての冷凍装置に既存のコンプレッサ冷媒温度センサ１６１の検出温度Ｔｒ、電動コンプレッサ１０３内のモータの巻線抵抗値からの換算温度Ｔｃｒ、外気温度Ｔａ、あるいは液冷媒の溜まり込み量Ｔｗ等と、これらに対応して予め設定された液冷媒寝込み設定温度Ｔｓ１、Ｔｓ３、あるいは溜まり込み量Ｔｓ４との比較に基づいて電動コンプレッサ１０３内のモータの加熱を行い、コンプレッサ冷媒温度センサ１６１の検出温度Ｔｒが規定温度Ｔｓ２以上になった状態で加熱を停止するように作動する。
【００１７】
例えば、図３の▲１▼に示すように、冷凍装置の電動コンプレッサ１０３の運転停止時に、コンプレッサ冷媒温度センサ１６１の検出温度Ｔｒが予め設定された液冷媒寝込み設定温度Ｔｓ１以下である場合、この検出温度Ｔｒに基づいて加熱制御装置１６０が必要加熱量を演算してから加熱制御信号をインバータ駆動装置１５６に出力する。
そして、インバータ駆動装置１５６は、加熱制御装置１６０からの加熱制御信号により、電動コンプレッサ１０３駆動用の３相交流インバータ１５７のスイッチング素子をＩとＩＶ、ＩＩとＩＩＩの組で交互にオンさせることで、冷凍装置用発電機５２、商用電源５３、冷凍装置用バッテリパック５４及び加熱用バッテリ１５８のうちの少なくとも１つから供給される電力を単相交流として、電動コンプレッサ１０３内のモータに、規定の電力量だけ欠相通電する。
【００１８】
これにより、電動コンプレッサ１０３は回転磁界が得られず停止状態となり、供給された電力は全て鉄損及び銅損となって発熱して電動コンプレッサ１０３内のモータが加熱される。
そして、規定の電力量で加熱された電動コンプレッサ１０３内のモータによって、電動コンプレッサ１０３の温度が上昇し、この電動コンプレッサ１０３に付設されたコンプレッサ冷媒温度センサ１６１の検出温度Ｔｒが、規定温度Ｔｓ２以上になった状態で加熱が停止する。
【００１９】
また、例えば、図３の▲２▼に示すように、冷凍装置の電動コンプレッサ１０３の運転停止時に、図示を省略した巻線抵抗センサにより電動コンプレッサ１０３内のモータの巻線抵抗値を検出し、この巻線抵抗値に基づく換算温度Ｔｃｒが、予め設定された液冷媒寝込み設定温度Ｔｓ３以下である場合、加熱制御装置１６０からの加熱制御信号により、インバータ駆動装置１５６が電動コンプレッサ１０３内のモータに欠相通電して、コンプレッサ冷媒温度センサ１６１の検出温度Ｔｒが規定温度Ｔｓ２以上になるまで、電動コンプレッサ１０３内のモータを加熱して、電動コンプレッサ１０３の温度を上昇させた後、加熱を停止する。
なお、このとき、換算温度Ｔｃｒに基づいて加熱制御装置１６０が必要加熱量を演算してから加熱制御信号をインバータ駆動装置１５６に出力することで、電動コンプレッサ１０３内のモータに、規定の電力量だけ、あるいは、規定の時間だけ欠相通電して、コンプレッサ冷媒温度センサ１６１の検出温度Ｔｒが規定温度Ｔｓ２以上になるまで、電動コンプレッサ１０３内のモータを加熱するようにしてもよい。
【００２０】
また、例えば、図３の▲３▼に示すように、冷凍装置の電動コンプレッサ１０３の運転停止時に、コンプレッサ冷媒温度センサ１６１の検出温度Ｔｒが予め設定された液冷媒寝込み設定温度Ｔｓ１以下である場合、この検出温度Ｔｒに基づいて加熱制御装置１６０が必要加熱量を演算してから加熱制御信号をインバータ駆動装置１５６に出力する。
そして、インバータ駆動装置１５６は、加熱制御装置１６０からの加熱制御信号により、電動コンプレッサ１０３内のモータに、規定の時間だけ欠相通電して、コンプレッサ冷媒温度センサ１６１の検出温度Ｔｒが規定温度Ｔｓ２以上になるまで、電動コンプレッサ１０３内のモータを加熱して、電動コンプレッサ１０３の温度を上昇させた後、加熱が停止する。
【００２１】
また、例えば、図３の▲４▼に示すように、冷凍装置の電動コンプレッサ１０３の運転停止時に、コンプレッサ冷媒温度センサ１６１の検出温度Ｔｒが予め設定された液冷媒寝込み設定温度Ｔｓ１以下である場合、加熱制御装置１６０からの加熱制御信号により、インバータ駆動装置１５６が電動コンプレッサ１０３内のモータに欠相通電して、コンプレッサ冷媒温度センサ１６１の検出温度Ｔｒが規定温度Ｔｓ２以上になるまで、電動コンプレッサ１０３内のモータを加熱して、電動コンプレッサ１０３の温度を上昇させた後、加熱が停止する。
【００２２】
また、例えば、図３の▲５▼に示すように、冷凍装置の電動コンプレッサ１０３の運転停止時に、外気温度Ｔａを検出し、この外気温度Ｔａが予め設定された液冷媒寝込み設定温度Ｔｓ１以下である場合、あるいは、電動コンプレッサ１０３への液冷媒の溜まり込み量Ｔｗを検出して、この溜まり込み量Ｔｗが予め設定された液冷媒の溜まり込み量Ｔｗ以上である場合、これら外気温度Ｔａあるいは溜まり込み量Ｔｗに基づいて加熱制御装置１６０が必要加熱量を演算してから加熱制御信号をインバータ駆動装置１５６に出力する。
そして、インバータ駆動装置１５６は、加熱制御装置１６０からの加熱制御信号により、電動コンプレッサ１０３内のモータに、規定の電力量だけ、あるいは、規定の時間だけ欠相通電して、コンプレッサ冷媒温度センサ１６１の検出温度Ｔｒが規定温度Ｔｓ２以上になるまで、電動コンプレッサ１０３内のモータを加熱して、電動コンプレッサ１０３の温度を上昇させた後、加熱が停止する。
なお、このとき、加熱制御装置１６０からの加熱制御信号により、インバータ駆動装置１５６が電動コンプレッサ１０３内のモータに欠相通電して、コンプレッサ冷媒温度センサ１６１の検出温度Ｔｒが規定温度Ｔｓ２以上になるまで、電動コンプレッサ１０３内のモータを加熱するようにしてもよい。
【００２３】
以上のような本実施形態では、電動コンプレッサ１０３の運転停止時であっても、冷凍装置用発電機５２、商用電源５３、冷凍装置用バッテリパック５４及び加熱用バッテリ１５８のうちの少なくとも１つから供給される電力を用いて電動コンプレッサ１０３内のモータを効率良く短時間に加熱して、この電動コンプレッサ１０の温度を上昇させることができる。これにより、電動コンプレッサ１０３の温度を液冷媒寝込みが発生してしまう温度よりも高い状態に維持して、電動コンプレッサ１０３内への液冷媒の寝込みを防止でき、液冷媒の圧縮による電動コンプレッサ１０３の破損、過電流による破損、保護装置による停止等の不具合を生じさせることがない。
【００２４】
ここで、インバータ駆動装置１５６に供給される電力の電源の選択は、車両の停車時であって、商用電源５３（外部電力）の供給がある場合、この商用電源５３を優先使用し、以下、冷凍装置用バッテリパック５４及び加熱用バッテリ１５８の少なくとも一方を選択的に使用する。
また、車両の走行時であって、冷凍装置用発電機５２が発電している場合、この冷凍装置用発電機５２を優先使用し、以下、冷凍装置用バッテリパック５４及び加熱用バッテリ１５８のうちの少なくとも一方を選択的に使用する。
さらには、これらの電源（冷凍装置用発電機５２、商用電源５３、冷凍装置用バッテリパック５４、加熱用バッテリ１５８）に加え、車両に搭載された車両用バッテリを電源として使用するようにしてもよい。
【００２５】
【発明の効果】
本発明によれば、車両に搭載された冷凍装置の電動コンプレッサが運転を停止しているときであっても、冷凍装置用発電機、商用電源、冷凍装置用バッテリパック及び加熱用バッテリのうちの少なくとも１つから供給される電力を用いて電動コンプレッサ内のモータを効率良く短時間に加熱して、この電動コンプレッサの温度を上昇させることができる。
そのため、電動コンプレッサの温度を液冷媒寝込みが発生してしまう温度よりも高い状態に維持して、電動コンプレッサ内への液冷媒の寝込みを防止でき、液冷媒の圧縮による電動コンプレッサの破損、過電流による破損、保護装置による停止等の不具合を生じさせることがない。
【図面の簡単な説明】
【図１】本発明の実施形態による電気機器の配置と電気配線系統とを示す説明図である。
【図２】図１におけるインバータ駆動装置の部分詳細説明図である。
【図３】本発明の実施形態による加熱制御のフローチャートを示す説明図である。
【図４】従来の冷凍装置のコンデンシングユニット及びエバポレータユニットの主要コンポーネント配置と冷媒配管系統、及びそれらを駆動する電気機器の配置と電気配線系統の一例を示す説明図である。
【符号の説明】
５１　車両用エンジン
５２　冷凍装置用発電機
５３　商用電源
５４　冷凍装置用バッテリパック
１０３　電動コンプレッサ
１５６　インバータ駆動装置
１５７　３相交流インバータ
１５８　加熱用バッテリ
１６０　加熱制御装置
１６１　コンプレッサ冷媒温度センサ
【図１】
2004028503.tif 000003
【図２】
2004028503.tif 000004
【図３】
2004028503.tif 000005
【図４】
2004028503.tif 000006